【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
通信するための装置であって、
第１のデバイスからの通信に基づいて第２のデバイスの信号強度基準を決定することと、前記第１のデバイスからの受信信号強度が前記信号強度基準を満たす場合、前記第２のデバイスをスキャンすることとを行うように構成される、処理システムを備え、前記処理システムは、前記第２のデバイスの前記信号強度基準および前記第１のデバイスからの前記受信信号強度に基づいて、前記第２のデバイスのカバレッジエリアから前記装置が出つつあるかどうかを決定することと、前記装置が前記第１のデバイスの前記カバレッジエリアを出つつあると決定される場合、前記第２のデバイスのワイヤレスネットワーク上での通信を止めることとを行うようにさらに構成される、
装置。
【請求項２】
前記信号強度基準は、前記通信を介して受信された情報要素に基づいて決定される、
請求項１に記載の装置。
【請求項３】
前記処理システムは、前記第１のデバイスからの前記通信に基づいて、前記受信信号強度を特定することを行うようにさらに構成される、
請求項１に記載の装置。
【請求項４】
前記第２のデバイスの前記決定された信号強度基準は、閾値を備え、前記処理システムは、前記受信信号強度が前記閾値以上であるかどうかを決定することを行うようにさらに構成される、
請求項１に記載の装置。
【請求項５】
前記処理システムは、前記通信に基づいて、前記第２のデバイスが動作しているチャネルと関連付けられたチャネル番号を特定するようにさらに構成され、前記スキャンは、前記第２のデバイスのための前記チャネルをスキャンすることを備える、
請求項１に記載の装置。
【請求項６】
前記処理システムは、前記通信に基づいて、前記第２のデバイスと関連付けられた基本サービスセット識別情報を特定することを行うようにさらに構成され、前記スキャンは、前記特定された基本サービスセット識別情報に基づいて、前記第２のデバイスをスキャンすることを備える、
請求項１に記載の装置。
【請求項７】
前記処理システムは、前記第１のデバイスからの前記受信信号強度が前記信号強度基準を満たすとき、前記第２のデバイスからのビーコンをスキャンすることと、前記ビーコンに対する前記スキャンが前記第２のデバイスからの前記ビーコンを検出しないとき、前記装置が前記第２のデバイスのカバレッジエリアの外側にあるかどうかを決定することを行うようにさらに構成される、
請求項１に記載の装置。
【請求項８】
前記処理システムは、前記装置が前記第２のデバイスのカバレッジエリアから出たかどうかを決定することと、前記装置が前記第２のデバイスの前記カバレッジエリアの外側にあるという決定に基づいて、前記第２のデバイスが前記装置へのデータの配信を停止すべきであることを示す、前記第１のデバイスに対するメッセージを生成することとを行うようにさらに構成される、
請求項１に記載の装置。
【請求項９】
装置によって通信するための方法であって、
第１のデバイスから通信を受信することと、
前記第１のデバイスからの前記通信に基づいて、第２のデバイスの信号強度基準を決定することと、
前記第１のデバイスからの受信信号強度が前記基準を満たす場合に、前記第２のデバイスをスキャンすることと、
前記第２のデバイスの前記信号強度基準および前記第１のデバイスからの前記受信信号強度に基づいて、前記第２のデバイスのカバレッジエリアから前記装置が出つつあるかどうかを決定することと、前記装置が前記第１のデバイスの前記カバレッジエリアを出つつあると決定される場合、前記第２のデバイスのワイヤレスネットワーク上での通信を止めることと
を備える、方法。
【請求項１０】
信号強度基準を決定することは、前記第１のデバイスからの前記通信を介して、受信された情報要素において前記信号強度基準を特定することを備える、
請求項９に記載の方法。
【請求項１１】
前記第２のデバイスからの前記通信に基づいて前記受信信号強度を特定することをさらに備える、
請求項９に記載の方法。
【請求項１２】
前記受信信号強度が閾値以上であるかどうかを決定することをさらに備え、前記第２のデバイスの前記信号強度基準は、前記閾値を備える、
請求項９に記載の方法。
【請求項１３】
前記第１のデバイスからの前記通信に基づいて、前記第２のデバイスが動作するチャネルと関連付けられたチャネル番号を特定することをさらに備え、前記第２のデバイスをスキャンすることは、前記第１のデバイスからの前記通信に基づいて特定された前記チャネル上で前記第２のデバイスをスキャンすることを備える、
請求項９に記載の方法。
【請求項１４】
請求項９乃至１３のいずれか１項に記載の方法を実装するための命令を備えるコンピュータプログラム。
【請求項１５】
前記ワイヤレスネットワーク上で通信することを行うように構成されたアンテナをさらに備え、前記装置は、アクセス端末として構成される、
請求項１乃至８のいずれか１項に記載の装置。
【手続補正２】
【補正対象書類名】明細書
【補正対象項目名】００８６
【補正方法】変更
【補正の内容】
【００８６】
[0096]上記は本開示の態様を対象とするが、本開示の他の態様およびさらなる態様が、その基本的範囲から逸脱することなく考案されてよく、その範囲は以下の特許請求の範囲によって決定される。
以下に、本願出願の当初の特許請求の範囲に記載された発明を付記する。
［Ｃ１］
通信するための装置であって、
第２のデバイスからの通信に基づいて第１のデバイスの信号強度基準を決定することと、前記第２のデバイスからの受信信号強度が前記信号強度基準を満たす場合、前記第１のデバイスをスキャンすることとを行うように構成される、処理システムを備える、
装置。
［Ｃ２］
前記信号強度基準は、前記通信を介して受信された情報要素に基づいて決定される、
［Ｃ１］に記載の装置。
［Ｃ３］
前記処理システムは、前記第２のデバイスからの前記通信に基づいて、前記受信信号強度を特定することを行うようにさらに構成される、
［Ｃ１］に記載の装置。
［Ｃ４］
前記第１のデバイスの前記決定された信号強度基準は、閾値を備え、前記処理システムは、前記受信信号強度が前記閾値以上であるかどうかを決定することを行うようにさらに構成される、
［Ｃ１］に記載の装置。
［Ｃ５］
前記処理システムは、前記通信に基づいて、前記第１のデバイスが動作しているチャネルと関連付けられたチャネル番号を特定するようにさらに構成され、前記スキャンは、前記第１のデバイスのための前記チャネルをスキャンすることを備える、
［Ｃ１］に記載の装置。
［Ｃ６］
前記処理システムは、前記通信に基づいて、前記第１のデバイスと関連付けられた基本サービスセット識別情報を特定することを行うようにさらに構成され、前記スキャンは、前記特定された基本サービスセット識別情報に基づいて、前記第１のデバイスをスキャンすることを備える、
［Ｃ１］に記載の装置。
［Ｃ７］
前記処理システムは、前記第１のデバイスの前記信号強度基準または前記第２のデバイスからの前記受信信号強度の少なくとも１つに基づいて、前記第１のデバイスのカバレッジエリアから前記装置が出つつあるかどうかを決定することを行うようにさらに構成される、
［Ｃ１］に記載の装置。
［Ｃ８］
前記処理システムは、前記第２のデバイスからの前記受信信号強度が前記信号強度基準を満たすとき、前記第１のデバイスからのビーコンをスキャンすることと、前記ビーコンに対する前記スキャンが前記第１のデバイスからの前記ビーコンを検出しないとき、前記装置が前記第１のデバイスのカバレッジエリアの外側にあるかどうかを決定することを行うようにさらに構成される、
［Ｃ１］に記載の装置。
［Ｃ９］
前記処理システムは、前記装置が前記第１のデバイスのカバレッジエリアから出たかどうかを決定することと、前記装置が前記第１のデバイスの前記カバレッジエリアの外側にあるという決定に基づいて、前記第１のデバイスが前記装置へのデータの配信を停止すべきであることを示す、前記第２のデバイスに対するメッセージを生成することとを行うようにさらに構成される、
［Ｃ１］に記載の装置。
［Ｃ１０］
装置によって通信するための方法であって、
第１のデバイスから通信を受信することと、
前記第１のデバイスからの前記通信に基づいて、第２のデバイスの信号強度基準を決定することと、
前記第１のデバイスからの受信信号強度が前記基準を満たす場合に、前記第２のデバイスをスキャンすることと
を備える、方法。
［Ｃ１１］
信号強度基準を決定することは、前記第１のデバイスからの前記通信を介して、受信された情報要素において前記信号強度基準を特定することを備える、
［Ｃ１０］に記載の方法。
［Ｃ１２］
前記第１のデバイスからの前記通信に基づいて前記受信信号強度を特定することをさらに備える、
［Ｃ１０］に記載の方法。
［Ｃ１３］
前記受信信号強度が閾値以上であるかどうかを決定することをさらに備え、前記第２のデバイスの前記信号強度基準は、前記閾値を備える、
［Ｃ１０］に記載の方法。
［Ｃ１４］
前記第１のデバイスからの前記通信に基づいて、前記第２のデバイスが動作するチャネルと関連付けられたチャネル番号を特定することをさらに備え、前記第２のデバイスをスキャンすることは、前記第１のデバイスからの前記通信に基づいて特定された前記チャネル上で前記第２のデバイスをスキャンすることを備える、
［Ｃ１０］に記載の方法。
［Ｃ１５］
前記第１のデバイスからの前記通信に基づいて、前記第１のデバイスと関連付けられた基本サービスセット識別情報を特定することをさらに備え、前記第２のデバイスをスキャンすることは、前記特定された基本サービスセット識別情報に基づいて前記第２のデバイスをスキャンすることを備える、
［Ｃ１０］に記載の方法。
［Ｃ１６］
前記第２のデバイスの前記信号強度基準または前記第１のデバイスからの前記受信信号強度の少なくとも１つに基づいて、前記第２のデバイスのカバレッジエリアから装置が出つつあるかどうかを決定することをさらに備える、
［Ｃ１０］に記載の方法。
［Ｃ１７］
前記第１の第２のデバイスからの前記受信信号強度が前記信号強度基準を満たすとき、前記第２のデバイスからのビーコンをスキャンすることと、ビーコンの前記スキャンが前記第２のデバイスからの前記ビーコンを検出しないとき、前記装置が前記第２のデバイスの前記カバレッジエリアの外側にあるかどうかを決定することとをさらに備える、
［Ｃ１０］に記載の方法。
［Ｃ１８］
前記装置が前記第２のデバイスのカバレッジエリアから出たかどうかを決定することと、前記装置が前記第２のデバイスの前記カバレッジエリアの外側にあるという決定に基づいて、前記第２のデバイスが前記装置へのデータの配信を停止すべきであることを示す、前記第１のデバイスに対するメッセージを生成することとをさらに備える、
［Ｃ１０］に記載の方法。
［Ｃ１９］
通信するための装置であって、
第１のリンク上の第２のデバイスに対する第１のデバイスの関係、または、前記第２のリンク上の前記装置に対する前記第１のデバイスの関係に基づいて、第２のリンク上での送信のためにビーコンメッセージを生成することを行うように構成される処理システムを備える、
装置。
［Ｃ２０］
前記処理システムは、前記装置に対する前記第１のデバイスの前記関係が、前記装置が前記第２のリンク上で前記第１のデバイスからプローブ要求またはアソシエーション要求の少なくとも１つを受信することを備える場合、前記ビーコンメッセージを生成することを行うように構成される、
［Ｃ１９］に記載の装置。
［Ｃ２１］
前記処理システムは、前記第２のデバイスに対する前記第１のデバイスの前記関係が、前記第１のデバイスが前記第１のリンク上で前記第２のデバイスに関連付けられることを備える場合、前記ビーコンメッセージを生成することを行うように構成される、
［Ｃ１９］に記載の装置。
［Ｃ２２］
前記処理システムは、前記装置に対する前記第１のデバイスの前記関係が、前記第１のデバイスが前記第２のリンク上で前記装置に関連付けられることを備える場合、前記ビーコンメッセージを生成することを行うように構成される、
［Ｃ１９］に記載の装置。
［Ｃ２３］
前記第２のデバイスに対する前記第１のデバイスの前記関係は、前記第１のリンク上での前記第２のデバイスとの前記第１のデバイスの関連付けを備え、前記処理システムは、前記第１のデバイスから通信を受信することと、前記第１のデバイスからの前記通信に基づいて、前記第１のデバイスと前記第２のデバイスとの間の前記関連付けおよび前記第２のデバイスから前記第１のデバイスにおいて受信信号強度に基づいて、前記第１のデバイスの信号強度基準を特定することと、前記第２のデバイスからの前記第１のデバイスにおける前記受信信号強度が前記基準を満たす場合、前記第１のデバイスをスキャンすることとを行うようにさらに構成される、
［Ｃ１９］に記載の装置。
［Ｃ２４］
前記第１のデバイスの前記特定された信号強度基準は、閾値を備え、前記処理システムは、前記通信の前記受信信号強度が前記閾値以上である場合、前記第１のデバイスをスキャンすることを行うようにさらに構成される、
［Ｃ２３］に記載の装置。
［Ｃ２５］
前記処理システムは、前記第１のデバイスからの前記通信に基づいて、前記第１のデバイスから前記第２のデバイスへの第１の信号強度、または、前記第２のデバイスから前記第１のデバイスへの第２の信号強度の前記第１のデバイスのフィードバックの、少なくとも１つを特定することと、前記第１の信号強度または前記第２の信号強度の少なくとも１つに基づいて、前記受信信号強度を決定することとを行うようにさらに構成される、
［Ｃ２３］に記載の装置。
［Ｃ２６］
前記処理システムは、前記第２のデバイスからの通信を処理することと、前記第２のデバイスからの前記通信は前記第２のデバイスによって収集された信号強度を備える、前記収集された信号強度が前記基準を満たすかどうかを決定することとを行うようにさらに構成され、前記収集された信号強度が前記基準を満たすとき、前記第２のデバイスは、前記装置の範囲内にある、
［Ｃ２３］に記載の装置。
［Ｃ２７］
通信するための装置であって、
第１の帯域および第２の帯域のための情報を含む第１のビーコンメッセージを生成するように構成される処理システムを備え、前記処理システムは、第２のビーコンメッセージを生成することを行うようにさらに構成され、前記第１のビーコンメッセージは、前記第１の帯域上での送信のために構成され、前記第２のビーコンメッセージは、前記第２の帯域上での送信のために構成され、前記処理システムは、信号フィールド中の基本サービスセット識別子を伴うプリアンブルまたは前記基本サービスセット識別子にマッピングされる物理レイヤシーケンスを備える情報を含むように、前記第２のビーコンメッセージを生成することを行うようにさらに構成される、
装置。
［Ｃ２８］
前記処理システムは、第１の期間における前記第１の帯域上での送信のために前記第１のビーコンメッセージを生成することと、第２の期間における前記第２の帯域上での送信のために前記第２のビーコンメッセージを生成することとを行うようにさらに構成され、前記第２の期間は、前記第１の期間以上の長さである、
［Ｃ２７］に記載の装置。
［Ｃ２９］
前記処理システムは、前記第２の帯域上で送信されるべきメッセージのためのページング情報を含むように前記第１のビーコンメッセージを生成し、前記第２の帯域上での送信のために前記メッセージを含むパケットを生成することを行うようにさらに構成される、
［Ｃ２７］に記載の装置。